(57)【特許請求の範囲】
【請求項１】
鳩体を駆動するモータ機構を筐体に備え、前記モータ機構に連係するせり出し機構によって前記鳩体が所定時刻に正面方向へ出没移動するとともに、当該モータ機構に連係するフイゴ式発音機構により時刻を報時する鳩時計であって、
前記モータ機構は、前記筐体に固着されるモータと、このモータに連係する減速ギア群を備え、
前記せり出し機構は、前記減速ギア群を保持するホルダを備えて構成され、
前記ホルダは、前記筐体に回動可能に設けられるとともに所定角度回動すると当該筐体に当接するものであり、更に、当該ホルダには、その先端が前記鳩体に連係するアームを設けて、前記ホルダの回転に伴い前記アームが回動して鳩体を正面方向へ出没移動させるようにし、
前記フイゴ式発音機構は、前記減速ギア群に連係するカムを備え、且つ、発音中空体及びフイゴを備えた発音部と、蛇腹部駆動用リンクと、音変更用リンクと、前記カムにおける第１カム及び第２カムとから構成され、
前記発音中空体は笛部と音変更用の穴部を備え、また、前記フイゴは回動板部を備え、
前記蛇腹部駆動用リンクは、それぞれの対向端部を回動可能に連結する第１リンク部及び第２リンク部で構成され、
前記第１リンク部は、基部が前記筐体に回動可能に取付けられ、且つ当該基部と前記対向端部との間に、前記カムの第１カムと係脱する突部を備え、
第２リンク部は、先端部が前記フイゴの回動板部に回動可能に取付けられ、
前記音変更用リンクは、前記筐体に回動可能に設けられるものであって、先端部と他端部の間に回動支点部を設け、前記先端部が前記カムの第２カムと係脱し、且つ前記他端部には前記発音中空体の音変更用の穴部に係脱するバルブを設け、
前記カムの前記第１カム及び第２カムは位相を異にするカム部を備えて構成され、
前記モータが作動すると、前記せり出し機構が作動して前記鳩体が正面方向へ出没移動するとともに、前記フイゴ式発音機構の前記カムが回転して、前記第１カムにより前記蛇腹部駆動用リンクが作動して前記発音中空体の笛部が鳴動し、また、前記第２カムにより前記音変更用リンクが作動して前記バルブにより前記発音中空体の音変更用の穴部が開閉して、前記笛部の鳴動に音の変化をもたらすことを特徴とする鳩時計の鳴動装置。
【発明の詳細な説明】
【技術分野】
【０００１】
本発明は、鳩体が鳴動する構造の鳩時計に関する。
【背景技術】
【０００２】
鳩時計において、鳩体が正面方向に移動して、例えば鳩体頭部が窓から出没する鳩時計の駆動装置が知られている。
【０００３】
この種の鳩時計は、正時に鳩体が移動するほかに、鳩体が揺動したり鳴き声を発する等の駆動や鳴動を併せて行うのが一般的である。
【０００４】
このような鳩体の駆動と鳴き声の鳴動を行うのに、電子音を用いることなく、一つのモータで両方を兼用することができると便宜であることから、例えば、フイゴ機構を用いてモータで駆動し、その際、フイゴの開閉する蓋に押し上げレバー等を連係し、この押上げレバーによって鳩体を移動させるものが知られている（特許文献１）。
【０００５】
また、特許文献２に見るように、鳩体支持レバーを揺動自在に軸支するとともに、このレバーを一定方向に弾性付勢し、更に扉開閉駆動レバーに別途、第１及び第２レバーを設け、これらにより、鳩体支持レバーを揺動駆動するものも知られている。
【先行技術文献】
【特許文献】
【０００６】
【特許文献１】実開昭６１−１６１７８５号公報
【特許文献２】実開昭６１−５２２８４号公報
【発明の概要】
【発明が解決しようとする課題】
【０００７】
上述した鳩時計において、部品点数を削減して一つのモータで各機構を駆動する場合に、特許文献１のように押上げレバーを用いるものや、特許文献２のように複数のレバーを用いるものは、それなりに機構の省力化を図ることができるものであった。
【０００８】
ところが、鳩時計の鳴動装置において、一つのモータで鳴動を行う場合は、通常は１音色の鳴動であり、２音色の鳴動を行うことは困難であった。そこで、本発明は、一つのモータを用いながら、２音色の鳴動を行うことの可能な鳩時計の鳴動装置を提案するものである。
【課題を解決するための手段】
【０００９】
本願第１請求項に記載した発明は、実施例で用いた符号を付して記すと、鳩体１を駆動するモータ機構１０を筐体２に備え、前記モータ機構１０に連係するせり出し機構２０によって前記鳩体１が所定時刻に正面方向へ出没移動するとともに、当該モータ機構１０に連係するフイゴ式発音機構３０により時刻を報時する鳩時計であって、
前記モータ機構１０は、前記筐体２に固着されるモータＭと、このモータＭに連係する減速ギア群を備え、
前記せり出し機構２０は、前記減速ギア群を保持するホルダＨを備えて構成され、
前記ホルダＨは、前記筐体２に回動可能に設けられるとともに所定角度回動すると当該筐体２に当接するものであり、更に、当該ホルダＨには、その先端Ｈ３ａが前記鳩体１に連係するアームＨ３を設けて、前記ホルダＨの回転に伴い前記アームＨ３が回動して鳩体１を正面方向へ出没移動させるようにし、
前記フイゴ式発音機構３０は、前記減速ギア群に連係するカムＣを備え、且つ、発音中空体３２及びフイゴ３３を備えた発音部３１と、蛇腹部駆動用リンク３４と、音変更用リンク３５と、前記カムＣにおける第１カムＣ１及び第２カムＣ２とから構成され、
前記発音中空体３２は笛部３２ａと音変更用の穴部３２ｂを備え、また、前記フイゴ３３は回動板部３３ａを備え、
前記蛇腹部駆動用リンク３４は、それぞれの対向端部Ｌ１ｂ，Ｌ２ｂを回動可能に連結する第１リンク部Ｌ１及び第２リンク部Ｌ２で構成され、
前記第１リンク部Ｌ１は、基部Ｌ１ａが前記筐体２に回動可能に取付けられ、且つ当該基部Ｌ１ａと前記対向端部Ｌ１ｂとの間に、前記カムＣの第１カムＣ１と係脱する突部Ｌ１ｃを備え、
第２リンク部Ｌ２は、先端部Ｌ２ａが前記フイゴ３３の回動板部３３ａに回動可能に取付けられ、
前記音変更用リンク３５は、前記筐体２に回動可能に設けられるものであって、先端部３５ａと他端部３５ｂの間に回動支点部３５ｃを設け、前記先端部３５ａが前記カムＣの第２カムＣ２と係脱し、且つ前記他端部３５ｂには前記発音中空体３２の音変更用の穴部３２ｂに係脱するバルブ３６を設け、
前記カムＣの前記第１カムＣ１及び第２カムＣ２は位相を異にするカム部Ｃ１ａ，Ｃ１ｂ，Ｃ２ａを備えて構成され、
前記モータＭが作動すると、前記せり出し機構２０が作動して前記鳩体１が正面方向へ出没移動するとともに、前記フイゴ式発音機構３０の前記カムＣが回転して、前記第１カムＣ１により前記蛇腹部駆動用リンク３４が作動して前記発音中空体３２の笛部３２ａが鳴動し、また、前記第２カムＣ２により前記音変更用リンク３５が作動して前記バルブ３６により前記発音中空体３２の音変更用の穴部３２ｂが開閉して、前記笛部３２ａの鳴動に音の変化をもたらす構成の鳩時計の鳴動装置である。
【発明の効果】
【００１０】
このように、本発明によれば、この種の鳩時計の駆動装置において、一つのモータでせり出し機構とフイゴ式発音機構を同時に作動させることができ、更に、フイゴ式発音機構は、フイゴ機構に音変更用リンクとこれに係脱するカムを設け、発音中空体には音変更用の穴部を設けて構成されるので、本来のフイゴ鳴動に更に音変更用リンクが作動して、笛部の鳴動に音の変化をもたらす鳩時計の鳴動装置を得ることができるものである。
【図面の簡単な説明】
【００１１】
【図１】本発明の実施例に係り、鳩時計を示す正面外観図である。
【図２】本発明の実施例に係り、駆動装置を示す斜視図である。
【図３】本発明の実施例に係り、駆動装置を示す側面図である。
【図４】本発明の実施例に係り、駆動装置を示す平面図である。
【図５】本発明の実施例に係り、駆動装置の内部機構を背面側から示す縦断面図である。
【図６】本発明の実施例に係り、ホルダを示す外観図である。
【図７】本発明の実施例における駆動装置の内部機構を示す側面図であって、鳩体が奥側に位置している図である。
【図８】本発明の実施例における駆動装置の内部機構を示す側面図であって、鳩体が正面側に位置している図である。
【図９】本発明の実施例における駆動装置の内部機構を示す側面図であって、鳩体が正面側に位置して揺動している状態の図である。
【図１０】本発明の実施例におけるフイゴ式発音機構の駆動系を示す側面図であって、（１）は第１声「パ」を発する位置関係、（２）はバルブを閉じた状態の位置関係、（３）は第２声「ポ」を発する位置関係、を示す図である。
【図１１】本発明の実施例に係り、駆動装置の内部機構（主にカム及びリミットスイッチ）を示す側面図である。
【発明を実施するための最良の形態】
【００１２】
以下に、本発明の実施例を図面に基づいて詳細に説明する。図１において、本例の鳩時計は、鳩体１と図示を省略した時計機構が筐体２内に収納され、筐体２の正面にデジタル表示の時計表示部３を備えた装飾時計である。
【００１３】
本例の鳩時計の駆動装置は、図２〜図９に示すように、後に詳述するモータ機構１０、せり出し機構２０、フイゴ式発音機構３０及び数取り機構４０を備えて構成される。本例においては、モータ機構１０に組み込まれた一つのモータＭで、鳩体１を正面方向へ出没移動させるせり出し動作（せり出し機構２０）、鳩体１の鳴動（フイゴ式発音機構３０）、このフイゴ式発音機構３０に連動する鳩体１の上下揺動、そして、鳩体１の鳴動及び上下揺動をカウントする数取り機構４０の動作を、全て行うように構成されている。
【００１４】
前記モータ機構１０は、モータＭ、モータＭに連係する減速ギア群（第１ギア１１、第２ギア１２、第３ギア１３）及びホルダＨによって構成される。
【００１５】
モータＭは、筐体２に装着される。この例では、筐体２に別途、機構ケース１００を設けており、この機構ケース１００の箇所にモータＭが設けられている。また、モータＭは、そのモータ軸Ｍｓが鳩本体１の移動方向に直交する方向に位置しており、更に、モータ軸Ｍｓには歯車Ｍｇが固着されている。この歯車Ｍｇは、第１ギア１１の後述する大径歯車１１ａと噛合する。
【００１６】
第１ギア１１は、大径歯車１１ａと小径歯車１１ｂを備え、後述するホルダＨの第１軸Ｈ１に回転自在に装着される。大径歯車１１ａは、上述のように、モータＭの歯車Ｍｇと噛合し、小径歯車１１ｂは第２ギア１２の後述する大径歯車１２ａと噛合する。
【００１７】
第２ギア１２は、大径歯車１２ａと小径歯車１２ｂを備え、後述するホルダＨの第２軸Ｈ２に回転自在に装着される。大径歯車１２ａは、上述のように、第１ギア１１の小径歯車１１ｂと噛合し、小径歯車１２ｂは第３ギア１３と噛合する。
【００１８】
第３ギア１３は、第１ギア１１と同軸に設けられる。この例では、第３ギア１３はホルダＨの第１軸Ｈ１に回転自在に装着される。また、第３ギア１３は、上述のように、第２ギア１２の小径歯車１２ｂと噛合する。更に、第３ギア１３の固着軸は、機構ケース１００に形成した軸穴に挿通されて回転自在に支持され、機構ケース１００から外側に突出した部位に、後に詳述するカムＣ（同軸に固定される第１カムＣ１、第２カムＣ２、第３カムＣ３）を固着している。
【００１９】
尚、ホルダＨの第１軸Ｈ１と第３ギア１３の前記固着軸は、上述したように同軸状に設けられているところ、例えば、この固着軸を第１ギア１１側へホルダＨを貫通して延設し、以ってこれを第１軸Ｈ１とし、或いは、ホルダＨに個別に設けた軸に第１ギア１１を回転自在に装着するとともに、この軸に第３ギア１３の前記固着軸を圧入その他で双方を固設して、これらを第１軸Ｈ１としてもよい。
【００２０】
ホルダＨは、第１ギア１１、第２ギア１２及び第３ギア１３を覆うように設けられており、上述のように、第１ギア１１及び第３ギア１３を回転自在に支持する第１軸Ｈ１と、第２ギア１２を回転自在に支持する第２軸Ｈ２を備える。また、第１軸Ｈ１及び第２軸Ｈ２は、モータ軸Ｍｓと平行に設けられている。
【００２１】
更に、ホルダＨは、アームＨ３を設けている。アームＨ３は、先端部Ｈ３ａが、鳩体１の下部に設けた枢着部１ａに連係し、基部Ｈ３ｂはホルダＨに固着している。尚、鳩体１は、鳩体後部に姿勢保持部１ｂを設けている。この姿勢保持部１ｂは、後述する回動板部３３ａ（フイゴ式発音機構３０の発音部３１に設けたフイゴ３３に備えられる）の上面に摺動可能に載置されている。また、鳩体１は、常時は窓２ａの背面方向寄りに位置している。
【００２２】
このように構成されるホルダＨは、第１軸Ｈ１を支点として、回転可能に設けられている。そして、このホルダＨの回転は、所定角度になるとホルダＨが機構ケース１００に当接して、それ以上の回転が阻止されるように設けられている。
【００２３】
次に、せり出し機構２０について説明する。せり出し機構２０は、前述したように、鳩体１を正面方向へ出没移動させる機構であり、モータ機構１０のモータＭ、モータＭに連係する減速ギア群（第１ギア１１、第２ギア１２、第３ギア１３）及びホルダＨによって構成される。
【００２４】
上述のように構成される本例のモータ機構１０及びせり出し機構２０において、正時になると、図示を省略した時計制御部からモータ指令信号が発せられて、モータＭが作動する。図７に示す鳩体１の待機状態において、モータＭが回転すると、第１ギア１１が回転し、これにより第２ギア１２が回転する。減速ギア群には鳩時計の各種の機構を作動させるために高負荷がかかっており、そのため、この第２ギア１２の回転は、第３ギア１３を回転させることなく第１ギア１１の大径歯車１１ａに沿って回転移動することになり、結果、ホルダＨが第１軸Ｈ１を支点として回転する（遊星歯車の原理）。
【００２５】
ホルダＨが回転すると、これに固着しているアームＨ３が回動して、その先端部Ｈ３ａに連係する鳩体１が正面方向へ移動する（せり出し動作の始動）。
【００２６】
ホルダＨが回転して鳩体１が正面方向へ移動した後（図８）、間もなくすると、ホルダＨが機構ケース１００に当接して、ホルダＨの回転が停止し、アームＨ３の回動も停止し、これにより鳩体１の移動が停止する（せり出し動作の終了）。このときの鳩体１の頭部は、窓２ａの開口部に位置している。
【００２７】
ホルダＨの回転が停止すると、第２ギア１２の上述した第１ギア１１の大径歯車１１ａに沿う回転が停止して、第２ギア１２がその位置で回転し、第２ギア１２の回転力が第３ギア１３に伝達されることとなって、爾後、第３ギア１３が回転する。第３ギア１３が回転すると、第３ギア１３の固着軸が回転するので、後述するように、固着軸に固定したカムＣ（第１カムＣ１、第２カムＣ２、第３カムＣ３）の回転に伴い、フイゴの開閉（図９）、バルブの開閉、スイッチのオンオフがなされる。
【００２８】
モータＭが逆転すると、カムＣが逆転して、当該カムＣの係合する他部材によってその逆転は阻止され、これにより、前述のモータＭの正転の場合と同様に、第２ギア１２が、第１ギア１１の小径歯車１１ｂ及び第３ギア１３の外周に沿って噛合しながらモータＭの正転の場合とは反対方向に移動して、ホルダＨが第１軸Ｈ１を支点として前記とは反対方向に回転する。そして、これに伴いホルダＨのアームＨ３が反対方向に回動して、鳩体１を背面方向に移動させる。ここでモータＭへの通電を遮断すると、モータの静止トルクによりモータＭが拘束されて停止する。
【００２９】
尚、上述したことから明らかなように、本例のモータ機構１０及びせり出し機構２０においては、モータＭが回転すると、第２ギア１２が固定されていないので、ホルダＨが回転し、従って鳩体１が正面方向に移動し、ホルダＨの回転が阻止されるとカムＣが回転し始める。また、モータＭが逆回転すると、カムＣの回転が阻止され、ホルダＨの逆回転が始まり、従って鳩体１が背面方向に移動する。
【００３０】
また、本例では、ばね１０１を設けて、ホルダＨを正面方向へ弾性付勢している。ばね１０１は、例えば中央部がコイル状のばねであって図示を省略した筐体２の適所に係合させ、一端をホルダＨ側に、他端を後述するフイゴ式発音機構３０の音変更用リンク３５側に、それぞれ係止させる。ばね１０１を用いると、上述したせり出し動作が補強されて、例えば鳩時計が傾けられても、鳩体１の移動にもたらされ得る不安定性を回避することができる。
【００３１】
上述した本例のせり出し機構２０によれば、鳩時計の例えばフイゴ式発音機構３０等の駆動に用いられる減速ギア群を利用し、この減速ギア群を保持するホルダＨを回転可能に設けることにより、鳩体１の出没動作を行わせて、これにより従来用いられていた固有の鳩体駆動装置を不用にすることができ、部品点数を省力化することが可能となる。
【００３２】
次に、フイゴ式発音機構３０を説明する。本例のフイゴ式発音機構３０は、フイゴの動作により笛を鳴らし、鳴動１回ごとに笛の音色（２音色）を交互に変更させ、笛の鳴動に伴い鳩体１を上下揺動させる機構であって、発音部３１、蛇腹部駆動用リンク３４、音変更用リンク３５及びカムＣにおける第１カムＣ１、第２カムＣ２によって構成される。
【００３３】
発音部３１は、発音中空体３２及びフイゴ３３で構成される。発音中空体３２には、笛部３２ａと音変更用の穴部３２ｂを備える。また、フイゴ３３は、回動体部３３ａと蛇腹部３３ｂを備える。尚、穴部３２ｂは、本例の場合、発音中空体３２の下部に設けられる本体突出部３２ｃに形成されている。
【００３４】
蛇腹部駆動用リンク３４は、第１リンク部Ｌ１と第２リンク部Ｌ２を回動可能に連結して構成される。第１リンク部Ｌ１は、基部Ｌ１ａが機構ケース１００に回動可能に取付けられ、対向端部Ｌ１ｂは第２リンク部Ｌ２の対向端部Ｌ２ｂに回動可能に連結される。また、第２リンク部Ｌ２は、先端部Ｌ２ａがフイゴ３３の回動板部３３ａに回動可能に取付けられ、対向端部Ｌ２ｂは第１リンク部Ｌ１の対向端部Ｌ１ｂに回動可能に連結される。
【００３５】
そして、第１リンク部Ｌ１の適所には、カム部たる突部Ｌ１ｃを設けている。この突部Ｌ１ｃは、第１カムＣ１の回転によりこの第１カムＣ１の後述するカム部Ｃ１ａ，Ｃ１ｂと間欠的に当接する部位である。
【００３６】
音変更用リンク３５は、更に図９及び図１０に示すように、先端部３５ａが第２カムＣ２の後述するカム部Ｃ２ａと間欠的に当接し、他端部３５ｂには音変更用の穴部３２ｂに当接可能なバルブ３６を装着している。また、先端部３５ａと他端部３５ｂとの間の適所には、機構ケース１００に回動可能に支持される回動支点部３５ｃを設けている。
【００３７】
第１カムＣ１には二つのカム部Ｃ１ａ，Ｃ１ｂを備える。この二つのカム部Ｃ１ａ，Ｃ１ｂにより、第１カムＣ１の１回転で、蛇腹部駆動用リンク３４を介して、フイゴ３３の回動板部３３ａを２回、回動させることになる。このフイゴ３３の回動板部３３ａが回動すると、これにより発音中空体３２に圧縮空気が供給され、その空気が笛部３２ａから排出される際に、例えば「パ」といった音を発生させる。
【００３８】
第２カムＣ２には一つのカム部Ｃ２ａを備える。この一つのカム部Ｃ２ａにより、第２カムＣ２の１回転で、音変更用リンク３５を介して、音変更用の穴部３２ｂを１回閉塞させ、これにより、笛の音色を変更させることになる。この音変更用の穴部３２ｂが閉塞されると、笛部振動媒体としてのフイゴ３３の振動係数が変更されるので、前記圧縮空気が笛部３２ａから排出される際に、変更されなかった場合、例えば「パ」であった音に対し、「ポ」といった音を発生させる。
【００３９】
また、第１カムＣ１（カム部Ｃ１ａ，Ｃ１ｂ）による蛇腹部駆動用リンク３４と、第２カムＣ２（カム部Ｃ２ａ）による音変更用リンク３５との駆動タイミングは、次のようになされている。
【００４０】
第１カムＣ１のカム部Ｃ１ａによる蛇腹部駆動用リンク３４の動作がなされると、当初は第２カムＣ２のカム部Ｃ２ａによる音変更用リンク３５の動作がもたらされていないので、「パ」の音が発せられる。
【００４１】
これに続いて、更に、第１カムＣ１のカム部Ｃ１ｂによる蛇腹部駆動用リンク３４の動作がなされる前に第２カムＣ２のカム部Ｃ２ａによる音変更用リンク３５の動作がもたらされ、音変更用の穴部３２ｂが閉塞される。そして、第１カムＣ１のカム部Ｃ１ｂによる蛇腹部駆動用リンク３４の動作がなされると、「ポ」の音が発せられる。
【００４２】
このようにして、第３ギア１３の１回転で、第１カムＣ１及び第２カムＣ２と、それぞれの蛇腹部駆動用リンク３４及び音変更用リンク３５の動作により、「パ」「ポ」といった２音色を鳴動することになる。
【００４３】
本例においては、第１カムＣ１のカム部Ｃ１ａのカム高さ（回転中心からの放射状方向最外側の周端縁までの間隔）は、カム部Ｃ１ｂのカム高さよりも大きく形成している。このように、「カム部Ｃ１ａのカム高さ」＞「カム部Ｃ１ｂのカム高さ」とすることにより、蛇腹部駆動用リンク３４を介して開閉される回動板部３３ａの開閉幅に大小の差を設けることができる。そして、この回動板部３３ａの開閉幅の大小により、発音中空体３２に供給される圧縮空気に増減をもたらすことができ、この圧縮空気の増減に従って、笛部３２ａの鳴動に強弱を付与することができる。本例の場合、２音色交互の鳴動において、強い「パ」、弱い「ポ」、といった音色を実施でき、これにより、鳩時計の鳴動に現実感（リアリティ）をかもし出すことができる。
【００４４】
尚、本例においては、前述したように、カムＣが逆転すると、当該カムＣの係合する他部材によってその逆転が阻止されるように設けられている。例えば、第１カムＣ１（カム部Ｃ１ａ，Ｃ１ｂ）に着目してみると、双方のカム部Ｃ１ａ，Ｃ１ｂは、モータＭが正転する場合のカム面先端方向は湾曲面を呈している一方で、カム背面は凹面状を呈している。そのため、モータＭの正転時においては第１カムＣ１（カム部Ｃ１ａ，Ｃ１ｂ）は蛇腹部駆動用リンク３４の前記突部Ｌ１ｃとスムーズに摺接して所謂カム動作を行うことができる一方で、モータＭの逆転時においては、カム背面が突部Ｌ１ｃに当接してその回転が阻止される。これにより、前述したように、モータＭが逆回転すると、カムＣの回転が阻止され、ホルダＨの逆回転が始まり、鳩体１が背面方向に移動することになる。
【００４５】
更に、本例のフイゴ式発音機構３０は、鳩体１を上下方向に揺動させる機能を備えている。前述したように、鳩体１は、その後部に設けた姿勢保持部１ｂが、フイゴ３３の回動板部３３ａの上面に摺動可能に載置されているので、この回動板部３３ａの回動動作により、鳩体１が上下方向に揺動することになる。従って、上述した「パ」「ポ」の交互の鳴動に連動して、鳩体１が上下方向に揺動動作する。
【００４６】
そして、この鳩体１の上下方向における揺動動作は、本例の場合、上述した前記回動板部３３ａの開閉幅の大小の差に伴って、大小の揺動幅がもたらされる。
【００４７】
次に、数取り機構４０について説明する。この数取り機構４０は、更に図１１に示すように、鳩体１の鳴動及び上下揺動をカウントする機構であって、リミットスイッチ４１と第３カムＣ３によって構成される。スイッチレバー４１ａを備えたリミットスイッチ４１が筐体２に取付けられ、回転する第３カムＣ３のカム部Ｃ３ａがスイッチレバー４１ａに当接する回数が、リミットスイッチ４１におけるオンオフの電気的導通の回数としてカウントされる。
【００４８】
本例では、第３カムＣ３に一つのカム部Ｃ３ａを備えるので、第３カムＣ３の１回転により、スイッチレバー４１ａを１回作動させる。また、第３カムＣ３が１回転すると、二つのカム部を備える第１カムＣ１は、２回の鳩体１の鳴動（「パ」「ポ」）及び上下揺動を生ぜしめることになる。
【００４９】
この点、従来においては、電気的制御により、或いは、別途に鳴動用の歯車を設けて当該歯車の回転制御を行うことにより、鳴動及び鳴動回数を作動制御していたが、本例の数取り機構４０を設けると、この機構により電気的に検出してカウントし、これを用いて、各正時に本例の駆動装置を作動させその時刻の鳴動回数に達したところでモータ電源をオフし或いはモータの逆回転制御を行えばよくなるので、制御回路等が簡易化され、以って製作費用を低廉化することが可能になる。
【００５０】
以上説明したように、本例の鳩時計の駆動装置によれば、各機構に工夫を凝らしているので、部品点数を省力化することが可能となる。尚、本例における各部の構成は、特許請求の範囲に記載した技術的範囲において適宜に設計変更が可能であり、図例説明したものに限定されないことは勿論である。特に、本例の鳩時計はデジタル表示部を備えた装飾時計を備えた時計であるが、その構成は、各種の時計等や装飾装置自体に応用することも可能である。
【産業上の利用可能性】
【００５１】
本発明の鳩時計は、部品点数の省力化に優れたものであり、壁掛け時計、置き時計、目覚し時計として好適に利用することができる。
【符号の説明】
【００５２】
１    鳩体
１ａ    枢着部
１ｂ    姿勢保持部
２    筐体
２ａ    窓
３    時計表示部
１０    モータ機構
Ｍ    モータ
Ｍｓ    モータ軸
Ｍｇ    歯車
１１    第１ギア
１１ａ    大径歯車
１１ｂ    小径歯車
１２    第２ギア
１２ａ    大径歯車
１２ｂ    小径歯車
１３    第３ギア
Ｃ    カム
Ｃ１    第１カム
Ｃ１ａ    カム部
Ｃ１ｂ    カム部
Ｃ２    第２カム
Ｃ２ａ    カム部
Ｃ３    第３カム
Ｃ３ａ    カム部
Ｈ    ホルダ
Ｈ１    第１軸
Ｈ２    第２軸
Ｈ３    アーム
Ｈ３ａ    先端部
Ｈ３ｂ    基部
２０    せり出し機構
３０    フイゴ式発音機構
３１    発音部
３２    発音中空体
３２ａ    笛部
３２ｂ    穴部
３２ｃ    本体突出部
３３    フイゴ
３３ａ    回動板部
３３ｂ    蛇腹部
３４    蛇腹部駆動用リンク
Ｌ１    第１リンク部
Ｌ１ａ    基部
Ｌ１ｂ    対向端部
Ｌ１ｃ    突部
Ｌ２    第２リンク部
Ｌ２ａ    先端部
Ｌ２ｂ    対向端部
３５    音変更用リンク
３５ａ    先端部
３５ｂ    他端部
３５ｃ    回動支点部
３６    バルブ
４０    数取り機構
４１    リミットスイッチ
４１ａ    スイッチレバー
１００    機構ケース
１０１    ばね
【図１】
0005398029.tif 000002
【図２】
0005398029.tif 000003
【図３】
0005398029.tif 000004
【図４】
0005398029.tif 000005
【図５】
0005398029.tif 000006
【図６】
0005398029.tif 000007
【図７】
0005398029.tif 000008
【図８】
0005398029.tif 000009
【図９】
0005398029.tif 000010
【図１０】
0005398029.tif 000011
【図１１】
0005398029.tif 000012